(57)【要約】【課題】既存の窓枠等に対し、障子等の建具の後付けでの設置を可能とする、新規な技術を提案する。【解決手段】少なくとも一つの建具１・２が横方向にスライドする一対の建具１・２と、スライドする建具１・２の上部をガイドする横方向の上部ガイド部材３１と、スライドする建具の下部をガイドする横方向の下部ガイド部材４１と、を含む建具構造であって、各建具１・２は、その見込方向において、戸先框１０・２０の部位の見込寸法が、他の部位よりも厚く構成され、一方の建具１において、その見込方向において戸先框１０から一方にずらした位置に他の部位が構成され、他方の建具２において、その見込方向において戸先框２０から他方にずらした位置に他の部位が構成され、少なくとも一方の建具１の召合框１１が、他方の建具２の戸先框２０に当接すべく構成される、建具構造とする。【選択図】図１
2009121155.tif 000002
【特許請求の範囲】
【請求項１】
少なくとも一つの建具が横方向にスライドする一対の建具と、
スライドする前記建具の上部をガイドする横方向の上部ガイド部材と、
スライドする前記建具の下部をガイドする横方向の下部ガイド部材と、
を含む建具構造であって、
前記各建具は、その見込方向において、戸先框の部位の見込寸法が、他の部位よりも厚く構成され、
一方の前記建具において、その見込方向において前記戸先框から一方にずらした位置に前記他の部位が構成され、
他方の前記建具において、その見込方向において前記戸先框から他方にずらした位置に前記他の部位が構成され、
少なくとも一方の前記建具の召合框が、他方の前記建具の前記戸先框に当接すべく構成される、建具構造。
【請求項２】
前記上部ガイド部材と前記下部ガイド部材は、既存の建物開口部、又は、天井／床に対し、後付けにて付設される、
ことを特徴とする請求項１に記載の建具構造。
【請求項３】
前記上部ガイド部材、及び／又は、前記下部ガイド部材は、前記一対の建具をガイドする一本溝を有する、
ことを特徴とする請求項１又は請求項２に記載の建具構造。
【請求項４】
前記上部ガイド部材と前記下部ガイド部材は、同一の構成とする、
ことを特徴とする請求項１乃至請求項３のいずれか１項に記載の建具構造。
【請求項５】
少なくとも一つの建具が上下方向にスライドする一対の建具と、
スライドする前記建具の両側部をそれぞれガイドする上下方向の側部ガイド部材と、
を含む建具構造であって、
前記各建具は、その見込方向において、戸先框の部位の見込寸法が、他の部位よりも厚く構成され、
一方の前記建具において、その見込方向において前記戸先框から一方にずらした位置に前記他の部位が構成され、
他方の前記建具において、その見込方向において前記戸先框から他方にずらした位置に前記他の部位が構成され、
少なくとも一方の前記建具の召合框が、他方の前記建具の前記戸先框に当接すべく構成される、建具構造。
【請求項６】
前記側部ガイド部材は、既存の建物開口部に対し、後付けにて付設される、
ことを特徴とする、請求項５に記載の建具構造。
【請求項７】
前記側部ガイド部材は、建具をガイドする一本溝を有する、
ことを特徴とする、請求項５又は請求項６に記載の建具構造。
【請求項８】
前記一対の建具の全体の見込寸法が、前記各建具の戸先框の見込寸法とされる、
ことを特徴とする請求項１乃至請求項７のいずれか１項に記載の建具構造。
【請求項９】
前記各建具の召合框には、それぞれ、前記召合框を補強するための補強材が設けられる、
ことを特徴とする請求項１乃至請求項８のいずれか１項に記載の建具構造。
【発明の詳細な説明】
【技術分野】
【０００１】
本発明は、障子、襖、引き違いの戸板等の建具に関し、より詳しくは、既存の窓枠等に後付け可能な建具構造に関する。
【背景技術】
【０００２】
従来、障子や襖等の建具に関する技術は周知となっており、この建具に関する技術について公開する文献も存在する（例えば、特許文献１〜３参照）。
【０００３】
特許文献１では、障子を枠に装着したままで、窓枠等の枠体に対する障子の幅調整や傾斜調整を行うことを可能とする技術が開示されている。また、特許文献２では、建具に印刷を施す手法、特許文献３では、建具の枠材の意匠性を向上させるために取り付ける化粧板を貼着した枠材、に関する技術がそれぞれ開示されている。このように、従来、障子等の建具に関連し、その幅調整等の立付け性の向上や、意匠性の向上が図られているものである。
【０００４】
特許文献１に開示されるように、従来の障子等の建具においては、例えば、窓枠に一体的に設けた横木に二本の溝を形成して引き違いの明かり障子を設けたり、既設の鴨居と敷居の間に間仕切り用として引き違いの襖を設けられたりする。このように、従来の障子等の建具は、建物の建設時において設けられる枠体（横木や鴨居）等に対して、設置されるものである。
【特許文献１】特許第３１９７４６３号明細書
【特許文献２】特開昭６０−２０３４４８号公報
【特許文献３】特開平９−２１７５５４号公報
【発明の開示】
【発明が解決しようとする課題】
【０００５】
上述のように、障子等の建具を設置するには、従来、その建具を収めるための窓枠や鴨居等が建物の建設時において予め設置される必要があり、既存の住宅において、追加的に障子等の建具を設置するには、窓枠等の取替えなどの大掛かりな工事が必要とされるものである。
【０００６】
そこで、発明者らは、後付けにて建具を設置する方法について検討したところ、いくつかの課題が生まれた。まず、建具の見込寸法について解決すべき課題である。即ち、建具に見込寸法が存在するために、その見込寸法を収容するための奥行きが必要とされるということである。例えば、窓枠に対して後付けにて建具を設置する場合では、建具の見込寸法を収容するための見込方向のスペースが必要であり、また、その建具（引き違い建具）をスライドさせるための溝を有する枠材を収容するためのスペースが必要である。また、引き違いの建具に構成する場合には、その建具の見込寸法の二倍の奥行きが必要となるため、この奥行きを確保できない窓枠が多く存在するものと考えられる。また、この奥行きを考慮すると、間仕切り用に建具を設置する場合では、この奥行きの分だけ限られた室内スペースが削減されることになってしまうことになる。
【０００７】
また、建具を支持するための枠体を後付けにて設置する課題がある。即ち、窓枠への設置については、建具をスライドさせるための溝を有する枠材を設ける必要がある。また、間仕切りとしての設置については、鴨居、敷居となる枠材を設ける必要がある。
【０００８】
そこで、本発明は、既存の窓枠等に対し、障子等の建具の後付けでの設置を可能とする、新規な技術を提案するものである。
【課題を解決するための手段】
【０００９】
本発明の解決しようとする課題は以上の如くであり、次にこの課題を解決するための手段を説明する。
【００１０】
即ち、請求項１に記載のごとく、
少なくとも一つの建具が横方向にスライドする一対の建具と、
スライドする前記建具の上部をガイドする横方向の上部ガイド部材と、
スライドする前記建具の下部をガイドする横方向の下部ガイド部材と、
を含む建具構造であって、
前記各建具は、その見込方向において、戸先框の部位の見込寸法が、他の部位よりも厚く構成され、
一方の前記建具において、その見込方向において前記戸先框から一方にずらした位置に前記他の部位が構成され、
他方の前記建具において、その見込方向において前記戸先框から他方にずらした位置に前記他の部位が構成され、
少なくとも一方の前記建具の召合框が、他方の前記建具の前記戸先框に当接すべく構成される、建具構造とするものである。
【００１１】
また、請求項２に記載のごとく、
前記上部ガイド部材と前記下部ガイド部材は、既存の建物開口部、又は、天井／床に対し、後付けにて付設される、こととするものである。
【００１２】
また、請求項３に記載のごとく、
前記上部ガイド部材、及び／又は、前記下部ガイド部材は、前記一対の建具をガイドする一本溝を有する、こととするものである。
【００１３】
また、請求項４に記載のごとく、
前記上部ガイド部材と前記下部ガイド部材は、同一の構成とする、こととするものである。
【００１４】
また、請求項５に記載のごとく、
少なくとも一つの建具が上下方向にスライドする一対の建具と、
スライドする前記建具の両側部をそれぞれガイドする上下方向の側部ガイド部材と、
を含む建具構造であって、
前記各建具は、その見込方向において、戸先框の部位の見込寸法が、他の部位よりも厚く構成され、
一方の前記建具において、その見込方向において前記戸先框から一方にずらした位置に前記他の部位が構成され、
他方の前記建具において、その見込方向において前記戸先框から他方にずらした位置に前記他の部位が構成され、
少なくとも一方の前記建具の召合框が、他方の前記建具の前記戸先框に当接すべく構成される、建具構造とするのものである。
【００１５】
また、請求項６に記載のごとく、
前記側部ガイド部材は、既存の建物開口部に対し、後付けにて付設される、こととするものである。
【００１６】
また、請求項７に記載のごとく、
前記側部ガイド部材は、建具をガイドする一本溝を有する、こととするものである。
【００１７】
また、請求項８に記載のごとく、
前記一対の建具の全体の見込寸法が、前記各建具の戸先框の見込寸法とされる、こととするものである。
【００１８】
また、請求項９に記載のごとく、
前記各建具の召合框には、それぞれ、前記召合框を補強するための補強材が設けられる、こととするものである。
【発明の効果】
【００１９】
本発明の効果として、以下に示すような効果を奏する。
【００２０】
即ち、請求項１に記載の発明においては、前記他の部位の見込寸法について、前記戸先框より薄くした分だけ、一対の建具全体としての見込寸法を削減することができ、建具の設置に必要な見込方向のスペースを削減することができる。また、戸先框と召合框が当接することとすることで、戸先框に引手部を設けた場合、引手部が必ず一方側（例えば室内側）に配置されるようになり、引手部を利用した建具のスライド操作を常に実施することが可能となる。
【００２１】
また、請求項２に記載の発明においては、設置スペースの限られた既存の窓枠等に対する後付けでの建具の設置が可能となる。
【００２２】
また、請求項３に記載の発明においては、上部ガイド部材、及び／又は、前記下部ガイド部材を簡易な構造とすることができる。
【００２３】
また、請求項４に記載の発明においては、部品の共有化が図られ、コスト削減が図られる。また、窓枠等に対するガイド部材の設置の際において、上に設置すべきか、下に設置すべきか、ということを気にせずに設置することが可能となる。
【００２４】
また、請求項５に記載の発明においては、前記他の部位の見込寸法について、前記戸先框より薄くした分だけ、一対の建具全体としての見込寸法を削減することができ、建具の設置に必要な見込方向のスペースを削減することができる。また、戸先框と召合框が当接することとすることで、戸先框に引手部を設けた場合、引手部が必ず一方側（例えば室内側）に配置されるようになり、引手部を利用した建具のスライド操作を常に実施することが可能となる。
【００２５】
また、請求項６に記載の発明においては、設置スペースの限られた既存の窓枠等に対する後付けでの建具の設置が可能となる。
【００２６】
また、請求項７に記載の発明においては、側部ガイド部材を簡易な構造とすることができる。
【００２７】
また、請求項８に記載の発明においては、一対の建具全体としての見込寸法を削減することができ、建具の設置に必要な奥行き方向のスペースを削減することができる。
【００２８】
また、請求項９に記載の発明においては、召合框の剛性、及び、耐久性を向上（補強）させることができる。この補強材によって齎される効果は、特に、召合框の見込寸法が戸先框の見込寸法よりも薄い構成では、特に有効なものとなる。
【発明を実施するための最良の形態】
【００２９】
次に、発明の実施の形態を説明する。
図１に示すごとく、実施の形態の一つとして、
少なくとも一つの建具１・２が横方向にスライドする一対の建具１・２と、
スライドする前記建具１・２の上部をガイドする横方向の上部ガイド部材３１と、
スライドする前記建具の下部をガイドする横方向の下部ガイド部材４１と、
を含む建具構造であって、
前記各建具１・２は、その見込方向において、戸先框１０・２０の部位の見込寸法が、他の部位よりも厚く構成され、
一方の前記建具１において、その見込方向において前記戸先框１０から一方にずらした位置に前記他の部位が構成され、
他方の前記建具２において、その見込方向において前記戸先框２０から他方にずらした位置に前記他の部位が構成され、
少なくとも一方の前記建具１の召合框１１が、他方の前記建具２の前記戸先框２０に当接すべく構成される、建具構造とするものである。
【００３０】
また、図１０に示すごとく、実施の形態の他の一つとして、
少なくとも一つの建具７１・７２が上下方向にスライドする一対の建具７１・７２と、
スライドする前記建具７１・７２の両側部７１Ｒ・７１Ｌ・７２Ｒ・７２Ｌをそれぞれガイドする上下方向の側部ガイド部材７７・７８と、
を含む建具構造であって、
前記各建具７１・７２は、その見込方向において、戸先框７３・７４の部位の見込寸法が、他の部位よりも厚く構成され、
一方の前記建具７１において、その見込方向において前記戸先框７３から一方にずらした位置に前記他の部位が構成され、
他方の前記建具７２において、その見込方向において前記戸先框７４から他方にずらした位置に前記他の部位が構成され、
少なくとも一方の前記建具７１の召合框７５が、他方の前記建具７２の前記戸先框７４に当接すべく構成される、建具構造とするものである。
【００３１】
以上の構成とすることにより、前記他の部位の見込寸法について、前記戸先框より薄くした分だけ、一対の建具全体としての見込寸法を削減することができ、建具の設置に必要な奥行き方向のスペースを削減することができることから、設置スペースの限られた既存の窓枠等に対する後付けでの建具の設置が可能となる。
以下、詳細な構成について、実施例を用いて説明する。
【実施例１】
【００３２】
図１に示すごとく、本実施例では、横方向に引き違い（スライド）すべく構成される一対の建具１・２を、既存の窓枠５０に設置することとするものである。尚、本明細書中においては、説明の便宜のため、図２における紙面上下方向に対応する位置関係を上下、紙面左右方向に対応する位置関係を左右、とし、他の図を用いた説明においても、図２における位置関係が参照されるものとする。
【００３３】
まず、建具１・２について説明する。
図１及び図２において、紙面左側に図示される建具１は、左部において上下方向に設けられる戸先框１０、右部において上下方向に設けられる召合框１１、上部において横方向に設けられる上部横框１２、下部において横方向に設けられる下部横框１３を、方形に組むことにより、枠体が構成されている。この枠体の内側に桟木１４を設け、和紙等の紙１５を貼ることで、明かり障子として構成される。
【００３４】
また、図１及び図２において、紙面右側に図示される建具２は、同様に、右部において上下方向に設けられる戸先框２０、左部において上下方向に設けられる召合框２１、上部において横方向に設けられる上部横框２２、下部において横方向に設けられる下部横框２３を、方形に組むことにより、枠体が構成されている。この枠体の内側に桟木２４を設け、和紙等の紙２５を貼ることで、明かり障子として構成される。
【００３５】
また、図１及び図２に示すごとく、窓枠５０に設置される本実施例では、建具１は、外障子として構成され、建具２は、内障子として構成される。そして、図３に示すごとく、建具１の室内側面と、建具２の室外側面とが対向すべく配置され、横方向に引き違いされる（スライドする）障子が構成される。
【００３６】
また、図４の建具１・２の水平断面図に示すごとく、建具１において、前記戸先框１０の見込寸法Ｄ１は、召合框１１、上部横框１２、下部横框１３の見込寸法Ｄ１ａよりも、厚く構成されている。尚、本実施例では、建具１の枠体を構成する部材について、召合框１１、上部横框１２、下部横框１３の３つの部材が、戸先框１０に対する他の部材として定義される。また、召合框１１、上部横框１２、下部横框１３については、同一の見込寸法Ｄ１ａとするが、各部材の見込寸法については、戸先框１０との関係でその見込寸法が薄いものであれば、本実施例の目的・効果を逸脱しない範囲で同一でなくてもよい。
【００３７】
また、図４に示すごとく、建具１において、その見込方向において前記戸先框１０から室外側にずらした位置に前記他の部位、即ち、召合框１１、上部横框１２、下部横框１３が構成されることとしている。換言すれば、戸先框１０の見込寸法中心位置Ｃ１から室外側にオフセットさせた位置に、前記他の部位の見込寸法中心位置Ｃ２が配置されることとしている。
【００３８】
また、図４に示すごとく、建具１において、前記戸先框１０の見込寸法Ｄ１の範囲内に、前記他の部位が収められる構成としている。換言すれば、前記他の部位の室外側の面が、前記戸先框１０の室外側の面よりも、室内側に配置されることとなっている。この構成により、建具１における見込寸法（建具１の奥行き）が、戸先框１０の見込寸法Ｄ１で定義される、つまりは、建具１の全体の最大の見込寸法が、戸先框１０の見込寸法Ｄ１とされることとなる。
【００３９】
また、図４に示すごとく、建具２についても同様に、前記戸先框２０の見込寸法Ｄ２は、召合框２１、上部横框２２、下部横框２３の見込寸法Ｄ２ａよりも厚く構成されている。尚、本実施例では、建具２の枠体を構成する部材について、召合框２１、上部横框２２、下部横框２３の３つの部材が、戸先框２０に対する他の部材として定義される。また、召合框２１、上部横框２２、下部横框２３については、同一の見込寸法Ｄ２ａとするが、各部材の見込寸法については、戸先框１０との関係でその見込寸法が薄いものであれば、本実施例の目的・効果を逸脱しない範囲で同一でなくてもよい。
【００４０】
また、図４に示すごとく、建具２において、その見込方向において前記戸先框２０から室内側にずらした位置に前記他の部位、即ち、召合框２１、上部横框２２、下部横框２３が構成されることとしている。換言すれば、戸先框２０の見込寸法中心位置Ｃ３から室内側にオフセットさせた位置に、前記他の部位の見込寸法中心位置Ｃ４が配置されることとしている。
【００４１】
また、図４に示すごとく、建具２において、前記戸先框２０の見込寸法Ｄ２の範囲内に、前記他の部位が収められる構成としている。換言すれば、前記他の部位の室外側の面が、前記戸先框２０の室内側の面よりも、室外側に配置されることとなっている。この構成により、建具２における見込寸法（建具２の奥行き）が、戸先框２０の見込寸法Ｄ２で定義される、つまりは、建具２の全体の最大の見込寸法が、戸先框２０の見込寸法Ｄ２とされることとなる。
【００４２】
また、図４に示すごとく、建具１の戸先框１０の見込寸法中心位置Ｃ１と、建具２の戸先框２０の見込寸法中心位置Ｃ３が、略同一直線状に配置されることとしている。
【００４３】
さらに、図４に示すごとく、以上のように構成した建具１・２について、それぞれ、他の部位の見込寸法Ｄ１ａ・Ｄ２ａを、戸先框１０・２０の見込寸法Ｄ１・Ｄ２の半分未満とする。そして、建具１・２の他の部位を対向させた状態において、戸先框１０・２０の見込寸法Ｄ１・Ｄ２の範囲内に、両建具１・２の他の部位が収められる構成としている。この構成により、建具１・２全体としての見込寸法が、戸先框１０・２０の見込寸法Ｄ１・Ｄ２で定義される、つまりは、一対の建具１・２の全体の見込寸法Ｄ０が、各建具１・２の戸先框１０・２０の見込寸法Ｄ１・Ｄ２とされることとなる。尚、ここで述べる見込寸法Ｄ０・Ｄ１・Ｄ２については、後述するすべり鋲１６ａ・１６ｂ・２６ａ・２６ｂや、突設される引手部１０ｂ・２０ｂ（図５参照）の寸法については、含まれないものとする。
【００４４】
また、図４に示すごとく、前記各建具１・２の戸先框１０・２０においては、戸先框１０・２０の見込方向における室内側の側面に、上下方向の一連（断続的、又は、上下方向の一部でもよい）の溝にて形成される引手部１０ａ・２０ａがそれぞれ形成される。尚、前記引手部１０ａ・２０ａについては、本実施例のように、水平断面において略「Ｕ」字状の縦溝が形成されることとする他、図５に示すごとく、室内側に突出する引手部１０ｂ・２０ｂを設けることとしてもよく、建具１・２をスライドさせるための操作性を確保できる限りは、引手部の構成については、特に限定されるものではない。また、建具の設置に必要な奥行き方向のスペースは、前記戸先框１０・２０の見込寸法Ｄ１・Ｄ２が関連するため、図５のように、引手部１０ｂ・２０ｂを突出させる構成としても、この引手部１０ｂ・２０ｂが建具の設置に必要な奥行き方向のスペースに関連して弊害となることはない。
【００４５】
また、図４に示すごとく、前記各建具１・２の戸先框１０・２０においては、それぞれ、すべり鋲１６ａ・１６ｂ・２６ａ・２６ｂが付設される。このすべり鋲１６ａ・１６ｂ・２６ａ・２６ｂは、それぞれ、後述する上部ガイド部材３１の垂下部３３・３４に対向すべく設けられている。このようにすべり鋲１６ａ・１６ｂ・２６ａ・２６ｂを設けることによって、戸先框１０・２０と上部ガイド部材３１（垂下部３３・３４）との間にすべり鋲１６ａ・１６ｂ・２６ａ・２６ｂが介設されることになり、建具１・２と上部ガイド部材３１（垂下部３３・３４）の間での大きな摩擦の発生が抑制され、建具１・２のスライド（引き違い）を軽い力で行うことが可能となる。
【００４６】
また、図４に示すごとく、前記各建具１・２の召合框１１・２１においては、それぞれ、すべり鋲１７・２７が付設される。このすべり鋲１７・２７は、それぞれ、後述する上部ガイド部材３１の垂下部３３・３４に対向すべく設けられている。このようにすべり鋲１７・２７を設けることによって、召合框１１・２１と上部ガイド部材３１（垂下部３３・３４）との間にすべり鋲１７・２７が介設されることになり、建具１・２と上部ガイド部材３１（垂下部３３・３４）の間での大きな摩擦の発生が抑制され、建具１・２のスライド（引き違い）を軽い力で行うことが可能となる。
【００４７】
また、図４に示すごとく、前記各建具１・２の召合框１１・２１においては、それぞれ、前記各召合框１１・２１と上下寸法（縦寸法）を略同一とし、略「コ」字状の断面を有する補強材１８・２８が設けられている。この補強材１８・２８は、前記召合框１１・２１の室内側面１１ａ・２１ａ及び室外側面１１ｂ・２１ｂの一部と、召合框１１・２１の幅方向外側面１１ｃ・２１ｃをそれぞれ覆うように構成されている。このような補強材１８・２８を召合框１１・２１に設けることにより、召合框１１・２１の剛性、及び、耐久性を向上（補強）させることができる。この補強材１８・２８によって齎される効果は、特に、召合框１１・２１の見込寸法が戸先框１０・２０の見込寸法よりも薄く構成される本実施例においては、特に有効な構成となる。
【００４８】
また、図４に示すごとく、前記補強材１８・２８の素材については、例えば、アルミ等の金属を利用することにより、召合框１１・２１が木材で構成される場合において、召合框１１・２１を確実に補強することが可能となる。また、特に、他の一般的な金属と比較して軽量なアルミを補強材１８・２８に利用することによれば、建具を軽量に構成することができ、建具のスライド操作の容易性を妨げることもない。
【００４９】
また、図４に示すごとく、前記補強材１８・２８について、その素材を金属とする場合は、その外装面を召合框１１・２１と同一の外観とすることもできる。例えば、召合框１１・２１を木材で構成する場合においては、補強材１８・２８について木目の印刷処理を施すことや、木目のフィルムを貼設する等によって、建具として一体感のある意匠性を確保することが可能となる。
【００５０】
また、図４に示すごとく、前記補強材１８・２８の前記召合框１１・２１に対する固定法については、嵌着による固定、接着剤による固定、ビス等の固定具を用いた固定、など多種の手法を適用することができ、特に限定されるものではない。また、前記補強材１８の室内側面１８ａ、及び／又は、前記補強材２８の室外側面２８ｂに、図示せぬモヘアを貼設することで、建具１・２にて窓枠の開口を閉じた際の機密性を確保することとしてもよい。
【００５１】
また、図４に示すごとく、前記建具１の戸先框１０が、他方の前記建具２の召合框２１に当接すべく構成されている。この構成によって、例えば、建具１・２にて前記窓枠５０の開口を閉じた状態から、前記開口を開くように建具１・２を両側からスライドさせていくと、建具１の戸先框１０と建具２の召合框２１が当接し、建具１・２のスライドが規制される。そして、これにより、建具１・２の戸先框１０・２０において、引手部１０ａ・２０ａが必ず室内側に配置されるようになり、引手部１０ａ・２０ａを利用した建具１・２のスライド操作を常に実施することが可能となる。
【００５２】
ここで、仮に、建具１の戸先框１０と建具２の召合框２１が当接しない構成とすると、例えば、外障子を構成する建具１の戸先框１０が内障子を構成する建具２の室外側に配置され、戸先框１０に構成する引手部を室内側から利用できないという不便な構成となる。このように、建具１の戸先框１０と建具２の召合框２１が当接する構成は、建具１・２の開閉の操作性を良好なものとする上で有効な構成である。尚、本実施例では、建具１の戸先框１０と建具２の召合框２１が当接する構成としたが、建具１の召合框と建具２の戸先框が当接する構成や、さらには、建具１・２の召合框と戸先框がそれぞれ当接し合う構成としてもよい。
【００５３】
次に、上部ガイド部材３１（図１）について説明する。
図１に示すごとく、上部ガイド部材３１は、既存の窓枠５０の天板５１の下面に付設され、前記建具１・２の上部をガイドする横方向に長尺の部材である。
【００５４】
また、図１及び図２に示すごとく、上部ガイド部材３１の横方向の寸法は、窓枠５０の側板５３・５４の間の間隔と略同一とされる。また、図６に示すごとく、上部ガイド部材３１の長さ方向に対する直交断面の断面は、窓枠５０の天板５１の下面に付設される水平部３２と、該水平部３２の室内側及び室外側の端部において下方に突設される垂下部３３・３４とから、略「門」形状に構成され、これにより、前記建具１・２の上部呑込部（図においては、召合框１１・２１の上部呑込部）を収容する一本溝３５が構成されている。
【００５５】
また、図１に示すごとく、前記上部ガイド部材３１の既存の窓枠５０に対する固定は、前記水平部３２の上面に接着剤を塗布して、前記天板５１の下面に接着固定することや、ビス、釘等の固定具を利用した固定法等によって行うことができる。このようにして、上部ガイド部材３１を既存の窓枠５０に対して後付けすることができる。
【００５６】
尚、図７に示すごとく、戸先框２０（戸先框１０も同じ）の上部呑込部についても、前記上部ガイド部材３１の一本溝３５内に収容されることとなっている。
【００５７】
次に、下部ガイド部材４１（図１）について説明する。
図１に示すごとく、下部ガイド部材４１は、既存の窓枠５０の底板５２の上面に付設され、前記建具１・２の下部をガイドする横方向に長尺の板状の部材である。
【００５８】
また、図１及び図２に示すごとく、下部ガイド部材４１の横方向の寸法は、窓枠５０の側板５３・５４の間の間隔と略同一とされる。また、図６に示すごとく、下部ガイド部材４１には、長さ方向に対する直交断面の断面において略「Ｖ」字状の二列のガイド溝４２・４３が構成されている。二列のガイド溝４２・４３において、室内側に配置されるガイド溝４２については、内障子となる建具２の召合框２１の下面に付設される滑り駒２９をガイドすべく構成され、室外側に配置されるガイド溝４３については、外障子となる建具１の召合框１１の下面に付設される滑り駒１９をガイドすべく構成される。
【００５９】
尚、図６に示すように、略「Ｖ」字状の二列のガイド溝４２・４３と滑り駒１９・２９の組み合わせにて、建具１・２をガイドすることとすることによれば、下部ガイド部材４１の上面に形成される段差を少なくすることができ、また、下部ガイド部材４１の高さ方向の厚みを少なくして設置後の床面からの突出量を少なく抑えることができるため、段差の少ない、いわゆるバリアフリー構造を実現できることになる。
【００６０】
また、図１に示すごとく、前記下部ガイド部材４１の既存の窓枠５０に対する固定は、下部ガイド部材４１の下面に接着剤を塗布して、前記底板５２の上面に接着固定することや、ビス、釘等の固定具を利用した固定法等によって行うことができる。このようにして、下部ガイド部材４１を既存の窓枠５０に対して後付けすることができる。
【００６１】
尚、図７に示すごとく、戸先框２０（戸先框１０も同じ）の下部についても滑り駒２９ａが設けられ、この滑り駒２９ａが、室外側に配置されるガイド溝４３にてガイドされるようになっている。この滑り駒２９ａについては、室内側に配置されるガイド溝４２にてガイドされることとしてもよい。
【００６２】
また、図８（ａ）に示すごとく、一本溝４４を有する下部ガイド部材４１Ａとすることとし、該一本溝４４にて、召合框１１・２１（下部横框１３・２３）をガイドする構成としてもよい。この一本溝４４の構成によれば、簡易構造の下部ガイド部材４１Ａを構成することができる。
【００６３】
また、図８（ｂ）に示すごとく、前記建具１・２の見込寸法の中央に対応する位置を頂上として、室内側及び室内側に低くなる傾斜面４５ａ・４５ｂが構成される、一本溝４５を有する下部ガイド部材４１Ｂとするとともに、前記召合框１１・２１（下部横框１３・２３）の下面について、前記傾斜面４５ａ・４５ｂに沿った傾斜面１１ｄ・２１ｄを構成し、前記一本溝４５にて、召合框１１・２１（下部横框１３・２３）をガイドする構成としてもよい。この一本溝４５と、召合框１１・２１（下部横框１３・２３）に設ける傾斜面４５ａ・４５ｂ・２１ａ・１１ａの構成によれば、外障子となる建具１は室外側へ、内障子となる建具２は室内側へ、それぞれ移動するような荷重が発生し、建具１・２が互いに離れ合うことになり、互いの擦れ合いによる摩擦の発生等の不具合を防止することが可能となる。
【００６４】
さらに、上述した図７に示される上部ガイド部材３１を、下部ガイド部材として利用してもよく、逆に、図８（ａ）に示される下部ガイド部材４１Ａを、上部ガイド部材として利用してもよい。即ち、上部ガイド部材と下部ガイド部材は、同一の構成とするものである。これによれば、部品の共有化か図られ、コスト削減が図られる。また、窓枠等に対するガイド部材の設置の際において、上に設置すべきか、下に設置すべきか、ということを気にせずに設置することが可能となる。
【００６５】
次に、建具１・２の設置について説明する。
図１及び図９に示すごとく、上部ガイド部材３１と下部ガイド部材４１を既存の窓枠５０に対し後付けにて付設し、付設された上部ガイド部材３１と下部ガイド部材４１の間に、建具１・２を取り付ける。このようにして、既存の窓枠５０等の建物開口部について、建具１・２をスライド自在（引き違い可能）に設けることができる。
【００６６】
また、図９に示すごとく、窓枠５０について、前記上部ガイド部材３１の見込寸法Ｄ３（窓枠５０の見込寸法）、下部ガイド部材４１の見込寸法Ｄ４を、それぞれ収容できる見込寸法Ｄ５があれば、建具１・２の後付けが可能となる。例えば、図３に示すごとく、窓枠５０について、ガラスサッシ６１・６２の室内側に、見込寸法Ｄ５のスペースがあって、この見込寸法Ｄ５よりも、下部ガイド部材４１の見込寸法Ｄ４（上部ガイド部材３１の見込寸法Ｄ３）が小さければ、窓枠５０に対して建具１・２の後付けが可能となるものである。
【００６７】
また、図４及び図６に示すごとく、上述したように、建具１・２の全体の見込寸法Ｄ０は、戸先框１０・２０の見込寸法Ｄ１・Ｄ２にて定義される、つまりは、建具一枚分の見込寸法で定義されるため、前記上部ガイド部材３１の見込寸法Ｄ３、及び、下部ガイド部材４１の見込寸法Ｄ４は、建具一枚分の見込寸法を収容可能なものとすれば足りることになる。これにより、前記上部ガイド部材３１の見込寸法Ｄ３、及び、下部ガイド部材４１の見込寸法Ｄ４は、建具二枚分の見込寸法を収容可能とする一般的な構成と比較して、小さくすることが可能となる。そして、例えば、図３に示す構成の窓枠５０において、見込寸法Ｄ５が小さいものについても適用が可能となるものであり、本実施例の構成は、各種窓枠５０に対する適用の可能性が高いものとなる。
【実施例２】
【００６８】
実施例２は、図１０に示すごとく、建具７１・７２にて、上げ下げ障子を構成することとするものである。
即ち、上下方向にスライドする一対の建具７１・７２と、スライドする前記建具７１・７２の両側部７１Ｒ・７１Ｌ・７２Ｒ・７２Ｌをそれぞれガイドする上下方向に長尺の側部ガイド部材７７・７８と、を含む建具構造であって、前記各建具７１・７２は、その見込方向において、戸先框７３・７４の部位の見込寸法が、他の部位よりも厚く構成され、一方の前記建具７１において、その見込方向において前記戸先框７３から一方にずらした位置に前記他の部位が構成され、他方の前記建具７２において、その見込方向において前記戸先框７４から他方にずらした位置に前記他の部位が構成され、前記建具７１の召合框７５が、他方の前記建具７２の前記戸先框７４に当接すべく構成される、建具構造とするものである。
【００６９】
本実施例２は、上述した実施例１の左右方向のスライドの構造を、上下方向のスライドの構造にした構成であり、建具７１・７２の構成については、実施例１の構成を適用することで実現できるものである。また、側部ガイド部材７７・７８については、前記下部ガイド部材の構成を適用し、窓枠５５の側板５６・５７に貼設することで実現できる。
【００７０】
また、上げ下げ障子を構成する際において、必要となる構造については、周知の技術を適用することができ、例えば、建具７１・７２の召合框７５・７６に係合部材を貫装することにより、上側に配置される建具７１の落下を防止して閉じた状態を維持することとすることができる。
【００７１】
また、上側の建具７１の召合框７５が、下側の建具７２の戸先框７４に当接すべく構成されることとすることで、下側の建具７２の戸先框７４にて上側の建具７１の召合框７５を支えることが可能となる。そして、これによれば、例えば、建具７１を建具７２に突き当たるまで引き下げ、この状態状態で建具７２を引き上げることで、建具７１・７２を一体的に引き上げることができる。さらに、引き上げた建具７２を側部ガイド部材７７・７８の上下中途部に固定する構成を設けることによれば、窓枠５５の上部、及び、下部に開口を構成できるようになる。
【実施例３】
【００７２】
実施例３は、図１１に示すごとく、建具８１・８２・８３・８４にて、室内空間の間仕切りを行う実施例である。このように、実施例１で説明した構成は、室内空間の間仕切りとしての建具に応用することができる。そして、構成される間仕切りの見込寸法は、建具の見込寸法で定義され、この建具の見込寸法は、上述したように小さく構成することができるので、間仕切り後の室内スペースを広く確保することができる。
【００７３】
また、天井、及び、床に対し、実施例１の上部ガイド部材、及び、下部ガイド部材を後付けで付設することで、それぞれ、鴨居、敷居を構成することができ、容易に建具８１・８２・８３・８４を後付けで設置することができる。
【００７４】
さらに、間仕切り用に適用する本実施例では、図１２に示すごとく、戸先框９１・９２について、戸先框９１・９２の見込方向における両側の側面に、上下方向の一連（断続的、又は、上下方向の一部でもよい）の溝にて形成される引手部９３・９４がそれぞれ形成されこととする。この構成によれば、各建具について、戸先框９１・９２の見込方向の両側から開閉の操作を行うことができ、間仕切りにより形成された各室での建具の開閉についての良好な操作性を確保することができる。
【産業上の利用可能性】
【００７５】
本発明の活用例として、既存の窓枠に対する建具の後付けの設置、間仕切り用の建具の後付けの設置などが考えられる。また、一対の建具については、一方がスライド、他方が固定である構成としてもよい。また、建具を構成する戸先框、召合框等の素材は、木材とする他、樹脂、金属としてもよい。また、建具の形態については、明かり障子のような格子の障子に限らず、例えば、戸板で構成するスライドドアについても応用できる。
【図面の簡単な説明】
【００７６】
【図１】本発明の一実施例に係る建具構造の全体的な構成を示す図。
【図２】同じく正面図。
【図３】同じく水平断面図。
【図４】建具等の構成について示す水平断面の一部拡大図。
【図５】引手部の他の構成例について示す図。
【図６】建具等の構成について示す垂直側断面の一部拡大図。
【図７】戸先框等の構成について示す垂直面断面の一部拡大図。
【図８】（ａ）は、一本溝を有する下部ガイド部材の構成について示す垂直側断面図。（ｂ）は、下部ガイド部材の他の構成例について示す垂直側断面図。
【図９】窓枠に後付けにて設置された建具等について示す断面斜視図。
【図１０】上下方向に建具をスライドさせる建具構造の全体的な構成を示す図。
【図１１】間仕切り用としての実施形態について示す斜視図。
【図１２】間仕切り用としての実施形態の際に好適な引手部の構成例について示す建具の水平断面の一部拡大図。
【符号の説明】
【００７７】
１    建具
２    建具
１０  戸先框
１１  召合框
３１  上部ガイド部材
４１  下部ガイド部材
５０  窓枠
【図１】
2009121155.tif 000003
【図２】
2009121155.tif 000004
【図３】
2009121155.tif 000005
【図４】
2009121155.tif 000006
【図５】
2009121155.tif 000007
【図６】
2009121155.tif 000008
【図７】
2009121155.tif 000009
【図８】
2009121155.tif 000010
【図９】
2009121155.tif 000011
【図１０】
2009121155.tif 000012
【図１１】
2009121155.tif 000013
【図１２】
2009121155.tif 000014